(57)【要約】【課題】  印刷用紙等の印刷媒体の希望場所と異なる位置に印刷が行われたり、画像の一部が欠損して印刷が行われるような問題を解消する。【解決手段】  画像読取装置１では、操作部（外部）から入力された変倍率や印刷用紙サイズを設定し、その各設定値に基づいて読取可能領域Ａを算出する。そして、その算出結果に基づいてモータ２２，２３および駆動部２８，２９によって、発光部２４を主走査方向に、発光部２５を副走査方向にそれぞれ移動させると共に、発光部２４，２５を発光させ、発光部２４からは副走査方向に平行な光を、発光部２５からは主走査方向に平行な光をそれぞれ射出させることにより、読取可能領域Ａを示す光の軌跡が表示される。【選択図】        図２
2011061435.tif 000002
【特許請求の範囲】
【請求項１】
原稿の画像を読み取る画像読取手段を有する画像読取装置であって、
前記画像読取手段の前記原稿を載置可能な領域の主走査方向と副走査方向に平行な光を射出する発光手段と、
該発光手段を移動させるための駆動手段と、
該駆動手段の駆動および前記発光手段の発光を制御することにより、読取可能領域を表示させる制御手段とを設けたことを特徴とする画像読取装置。
【請求項２】
請求項１に記載の画像読取装置において、
前記画像読取手段によって読み取った画像データを変倍する変倍手段と、該変倍手段によって変倍された画像データを出力する出力手段と、該出力手段による出力画像の印刷に使用する媒体のサイズを外部からの指示によって設定する媒体サイズ設定手段と、前記変倍手段による変倍率を外部からの指示によって設定する変倍率設定手段とを設け、
前記制御手段は、前記媒体サイズ設定手段によって設定された媒体サイズと前記変倍率設定手段によって設定された変倍率とに基づいて、前記読取可能領域を算出する読取可能領域算出手段を有し、該読取可能領域算出手段による算出結果に応じて前記駆動手段の駆動を制御することを特徴とする画像読取装置。
【請求項３】
請求項１又は２に記載の画像読取装置において、
前記発光手段および前記駆動手段を前記主走査方向と前記副走査方向に１つずつ搭載したことを特徴とする画像読取装置。
【請求項４】
請求項１又は２に記載の画像読取装置において、
前記発光手段および前記駆動手段を前記主走査方向と前記副走査方向に２つずつ搭載したことを特徴とする画像読取装置。
【請求項５】
請求項１乃至４のいずれか一項に記載の画像読取装置において、
前記駆動手段は、ステッピングモータあるいはＤＣモータを用いたものであり、
前記制御手段は、前記ステッピングモータあるいは前記ＤＣモータを用い、パルス数あるいは回転数に基づいて設定された位置に前記発光手段を移動させることを特徴とする画像読取装置。
【請求項６】
請求項１乃至５のいずれか一項に記載の画像読取装置において、
原稿を載置するプラテンガラスと、該プラテンガラスの上面に対して開閉可能な圧板と、該圧板の開閉を検知する検知手段とを備え、
前記制御手段は、前記検知手段によって前記圧板が閉じたことを認識した場合に、前記発光手段の発光を停止することを特徴とする画像読取装置。
【請求項７】
請求項１乃至６のいずれか一項に記載の画像読取装置において、
前記発光手段は、指向性の強いＬＥＤ等の光源を使用したものであることを特徴とする画像読取装置。
【発明の詳細な説明】
【技術分野】
【０００１】
この発明は、デジタル複合機，デジタル複写機，ファクシミリ装置等の画像形成装置に搭載されるスキャナ装置等の画像読取装置、あるいはそのような画像形成装置やＰＣ（パーソナルコンピュータ）等のＯＡ機器にケーブル等によって接続される単体のスキャナ装置等の画像読取装置に関する。
【背景技術】
【０００２】
デジタル複写機等の画像形成装置に搭載されるスキャナ装置のように、画像読取部（画像読取手段）によって原稿の画像を読み取り、その読み取った画像データを印刷部（画像形成手段）に出力して用紙上に印刷（画像形成）を行わせる画像読取装置や、画像形成装置やＰＣ等のＯＡ機器にケーブル等によって接続されるスキャナ装置のように、画像読取部によって原稿の画像を読み取り、その読み取った画像データを他のＯＡ機器に出力する画像読取装置がある。
【０００３】
このような画像読取装置では、一般に、原稿から読み取った画像データのサイズを変倍（拡大又は縮小）する変倍機能を備えている。
しかし、このような変倍機能を有する従来の画像読取装置では、等倍で原稿の画像（単に「原稿」ともいう）を読み取る場合の印刷用紙サイズ（印刷に使用する用紙のサイズ）の適正な載置位置を操作部上に表示しているが、原稿から読み取った画像データの変倍時に希望する倍率（以下単に「変倍率」ともいう）や印刷用紙サイズに合わせて原稿を載置する位置を表示することはない。
【０００４】
このため、使用者が変倍機能を使う場合、どの領域まで原稿を読み取ることができるか明確にできないため、印刷用紙サイズと変倍率を入力した後に、設定した希望の変倍率に応じた位置を使用者が主観的に見極めて原稿を載置し、画像読取装置に原稿を読み取らせ、その読み取り画像データを印刷部に出力して印刷を行わせていた。
しかし、このような方法では、正確な読取可能領域が確認できないため、印刷用紙上の希望場所と異なる位置に印刷が行われたり、画像の一部が欠損して印刷が行われるという問題があった。
そこで、例えば特許文献１に見られるようなものが提案されている。
【０００５】
特許文献１には、印刷用紙サイズと変倍率に対応する読取可能領域（印刷可能領域）を表示する目的で、原稿載置領域の周囲に所定の間隔でＬＥＤ等の発光部を設置する機構が開示され、印刷用紙サイズと変倍率に対応する読取可能領域の両端部に位置する発光部が発光することにより、使用者が原稿の読取可能領域を認識することができるようにした構成が開示されている。
【発明の概要】
【発明が解決しようとする課題】
【０００６】
しかしながら、特許文献１に記載のものでも、正確な読取可能領域が確認できないため、印刷用紙上の希望場所と異なる位置に印刷が行われたり、画像の一部が欠損して印刷が行われるという問題は解消できていない。
なお、その解消できない理由は、以下の（ａ）（ｂ）に示す通りである。
（ａ）原稿載置領域の周囲に設置された発光部の発光を基準にするため、原稿載置領域端部から離れた位置では読取可能領域を確認し難い。
（ｂ）発光部を所定の間隔で設置するため、設置されていない地点を正確に表示することができない。
【０００７】
この発明は、上記の点に鑑みてなされたものであり、印刷用紙等の印刷媒体の希望場所と異なる位置に印刷が行われたり、画像の一部が欠損して印刷が行われるような問題を解消することを目的とする。
【課題を解決するための手段】
【０００８】
この発明は、原稿の画像を読み取る画像読取手段を有する画像読取装置であって、上記の目的を達成するため、上記画像読取手段の上記原稿を載置可能な領域の主走査方向と副走査方向に平行な光を射出する発光手段と、該発光手段を移動させるための駆動手段と、該駆動手段の駆動および上記発光手段の発光を制御することにより、読取可能領域を表示させる制御手段とを設けたものである。
【０００９】
なお、上記画像読取手段によって読み取った画像データを変倍する変倍手段と、該変倍手段によって変倍された画像データを出力する出力手段と、該出力手段による出力画像の印刷に使用する媒体のサイズを外部からの指示によって設定する媒体サイズ設定手段と、上記変倍手段による変倍率を外部からの指示によって設定する変倍率設定手段とを設け、上記制御手段が、上記媒体サイズ設定手段によって設定された媒体サイズと上記変倍率設定手段によって設定された変倍率とに基づいて、上記読取可能領域を算出する読取可能領域算出手段を備え、該読取可能領域算出手段による算出結果に応じて上記駆動手段の駆動を制御するとよい。
【００１０】
また、上記発光手段および駆動手段を上記主走査方向と上記副走査方向に１つずつ又は２つずつ搭載するとよい。
さらに、上記駆動手段をステッピングモータあるいはＤＣモータを用いたものとし、上記制御手段が、上記ステッピングモータあるいは上記ＤＣモータを用い、パルス数あるいは回転数に基づいて設定された位置に上記発光手段を移動させることが望ましい。
【００１１】
さらにまた、原稿を載置するプラテンガラスと、該プラテンガラスの上面に対して開閉可能な圧板と、該圧板の開閉を検知する検知手段とを備え、上記制御手段が、上記検知手段によって上記圧板が閉じたことを認識した場合に、上記発光手段の発光を停止するとよい。
また、上記発光手段を、指向性の強いＬＥＤ等の光源を使用したものとすればよい。
【発明の効果】
【００１２】
この発明によれば、画像読取装置が、発光手段を移動させ、その発光手段から主走査方向および副走査方向に平行な光を射出することによって読取可能領域を表示することにより、使用者が読取可能領域を正確に認識して、そこに原稿を載置することができるため、用紙等の媒体の希望場所と異なる位置に印刷が行われたり、画像の一部が欠損して印刷が行われるような問題を解消することができる。
【図面の簡単な説明】
【００１３】
【図１】この発明の一実施形態である画像読取装置の概略構成例を示す縦断正面図である。
【図２】図１に示した画像読取装置１のプラテンガラス３およびその周辺部分を上方から見た構成例を示す平面図である。
【図３】同じく画像読取装置１を制御する制御部（制御手段）の構成例を示すブロック図である。
【図４】同じく画像読取装置１の制御部および使用者による読取工程の一例を示すフローチャートである。
【図５】同じく画像読取装置１のプラテンガラス３およびその周辺部分を上方から見た他の構成例を示す平面図である。
【発明を実施するための形態】
【００１４】
以下、この発明を実施するための形態を図面に基づいて具体的に説明する。
以下の実施形態では、原稿から読み取った画像データの変倍時に希望する倍率（変倍率）や印刷用紙サイズの設定に際して、以下の特徴を有する。要するに、モータ等と組み合わせることでプラテンガラス（画像読取手段の原稿を載置可能な領域）の主走査方向および副走査方向に移動可能な発光部（発光手段）を画像読取装置内に設置する。そして、変倍率や印刷用紙サイズを設定すると、読取可能領域を表示するために発光部が画像読取装置内を高精度に移動し、主走査方向および副走査方向に平行な光を射出することで光の軌跡が描かれ、使用者が読取可能領域を正確に認識できることが特徴になっている。
【００１５】
図１は、この発明の一実施形態である画像読取装置の概略構成例を示す縦断正面図である。
この画像読取装置１は、図１に示すように、原稿２を載置するプラテンガラス３と、原稿２の露光用の光源４および第１反射ミラー５とからなる第１キャリッジ６と、第２反射ミラー７および第３反射ミラー８からなる第２キャリッジ９と、イメージセンサであるＣＣＤ（Charge Coupled Devices）１０と、ＣＣＤ１０に結像するためのレンズユニット１１と、シェーディング補正用の白基準板１２とを備えている。これらが、図３の撮像部３９（画像読取手段）を構成している。
【００１６】
ＣＣＤ１０は、センサ基板１３上に設けられている。このセンサ基板１３は、ＣＣＤ１０が出力する画像信号（読み取り画像データ）に対して各種の信号処理を施す信号処理回路（後述）が搭載された信号処理基板１４と、接続ケーブル１５によって接続されている。
光源４、第１，第２，第３反射ミラー５，７，８、およびレンズユニット１１は、走査光学系を構成する。なお、走査光学系としては、相対的なものであり、ミラー等が固定で原稿側が移動するタイプであってもよい。
【００１７】
光源４は、白基準板１２やプラテンガラス３の読み取り面に対して、所定角度で光を照射し、白基準板１２又は原稿２で反射した光は、第１，第２，第３反射ミラー５，７，８およびレンズユニット１１を経由してＣＣＤ１０に入射する。
ＣＣＤ１０は、入射光量に対応する電圧をアナログ画像信号として出力する。
第１，第２キャリッジ６，９は、図示しないステッピングモータの駆動により、原稿２の読み取り面とＣＣＤ１０との間の距離を一定に保ちながら副走査方向（矢印Ａ方向）に移動し、原稿２を露光走査する。
【００１８】
図２は、図１に示した画像読取装置１のプラテンガラス３およびその周辺部分を上方から見た構成例を示す平面図である。
この画像読取装置１の原稿台２０は、原稿２を載置するプラテンガラス３、基準点６０、原稿位置決め部材２１、モータ２２により主走査方向に移動自在な駆動部２８、モータ２３により副走査方向に移動自在な駆動部２９、駆動部２８に取り付けられて副走査方向に平行な光を射出する発光部（発光手段）２４、駆動部２９に取り付けられて主走査方向に平行な光を射出する発光部２５を含む構成である。なお、モータ２２，２３，および駆動部２８，２９が駆動手段としての機能を果す。
【００１９】
原稿載置領域は、原稿台２０において原稿２を載置できる領域であり、プラテンガラス３のほぼ全面に匹敵する。
原稿位置決め部材２１には、原稿２の載置位置を示す主走査方向と副走査方向のスケール２６、原稿２の中心載置位置を示すセンタマーク２７が表示されている。
スケール２６は、等倍で原稿２を読み取る場合の印刷用紙サイズの適正な載置位置を表示しているが、原稿から読み取った画像データの変倍時に希望する倍率（変倍率）に合わせて原稿２を載置する位置の表示はない。それは、変倍時には、変倍率と印刷用紙サイズとによって原稿２を載置すべき位置、つまり印刷用紙（他の印刷媒体でもよい）上に画像を印刷（形成）することができる読取可能領域（印刷可能領域）Ａが異なるためである。
【００２０】
使用者が後述する図３の操作部３５より変倍率と印刷用紙サイズを入力すると、図３のＣＰＵ３０は、その入力された変倍率と印刷用紙サイズを設定し、その各設定値に基づいて読取可能領域Ａを算出し、その算出結果に応じてモータ制御部３７がモータ２２，２３を稼動させて読取可能領域Ａの境界線まで発光手段である発光部２４，２５を移動させ、発光制御部３８が発光部２４，２５を発光させて、読取可能領域Ａを表示する。発光部２５が主走査方向に平行な光を、発光部２４が副走査方向に平行な光をそれぞれ射出することにより、図２に一点鎖線で示すような光の軌跡が表示されるため、使用者は読取可能領域Ａを正確に判断することができる。
【００２１】
図３は、図１に示した画像読取装置１を制御する制御部の構成例を示すブロック図である。
ＲＯＭ３１およびＲＡＭ３２を備えたＣＰＵ３０には、操作部３５、キャリッジ制御部３６、モータ制御部３７、発光制御部３８、撮像部３９、インタフェイス（Ｉ／Ｆ）３３、および画像データメモリ３４等の入出力部が接続されている。
キャリッジ制御部３６には、キャリッジ駆動モータ４０が接続されている。
モータ制御部３７には、モータ２２，２３が接続されている。
発光制御部３８には、発光部２４，２５が接続されている。
【００２２】
ＣＰＵ３０は、ＲＯＭ３１に予め書き込まれたプログラムに従って各入出力部を統括制御し、この間に入出力されるデータをＲＡＭ３２の所定メモリエリアに格納する。このＣＰＵ３０は、この発明に関する制御手段，変倍手段，出力手段，媒体サイズ設定手段，および変倍率設定手段としての機能を果す。
インタフェイス３３には、図示しない画像形成装置が接続され、その画像形成装置に出力する原稿２の文字や画像の読み取りデータ（画像データ）がＣＰＵ３０から入力される。
画像データメモリ３４は、インタフェイス３３を介して出力する原稿の読み取り画像データを記憶する。
【００２３】
操作部３５は、印刷用紙サイズや変倍率等の各種情報を入力するための入力部と、各種情報を表示する表示部とからなる。
キャリッジ制御部３６は、ＣＰＵ３０から出力される駆動データに基づいて、キャリッジ駆動モータ４０を駆動して図１の第１キャリッジ６等を移動させる。
ＣＰＵ３０は、操作部３５より入力された用紙サイズや倍率を基に読取可能領域Ａを算出する。
モータ制御部３７は、モータ２２，２３を駆動してＣＰＵ３０が算出した読取可能領域Ａの境界まで発光部２４，２５を移動させる。境界に移動した発光部２４，２５は、ＣＰＵ３０の指示を受けた発光制御部３８により発光させられる。
【００２４】
図４は、図１に示した画像読取装置１の制御部および使用者による読取工程の一例を示すフローチャートである。
この画像読取装置１が自己に接続されている画像形成装置によって印刷を実行させる際に、まず図４のステップＳ１へ進み、使用者が操作部３５上の操作によって印刷用紙サイズを入力すると、その印刷用紙サイズをＣＰＵ３０が設定してＲＡＭ３２に書き込む。
次に、ステップＳ２へ進み、使用者が操作部３５上の操作によって印刷させたい原稿２の希望印刷領域サイズを基にした変倍率を入力すると、その変倍率もＣＰＵ３０が設定してＲＡＭ３２に書き込む。
【００２５】
そして、ステップＳ３へ進み、ＣＰＵ３０は、設定した印刷用紙サイズと変倍率から原稿載置領域における読取可能領域Ａを算出し、主走査方向および副走査方向において、モータ２２，２３によって駆動部２８，２９を駆動して発光部２４，２５を読取可能領域Ａの境界（設定位置）まで移動させる。
次に、ステップＳ４へ進み、ＣＰＵ３０は、境界に移動させた発光部２４，２５を、発光制御部３８により発光させることにより、読取可能領域Ａを表示する。
その後、ステップＳ５へ進み、使用者は、原稿２を原稿台２０に載置し、原稿２の希望印刷領域が読取可能領域Ａ（読取範囲）内に入っているか否かの確認を行う。
【００２６】
そして、希望印刷領域が読取可能領域Ａ内に入っている場合には、ステップＳ６へ進み、使用者は印刷および原稿読取を兼用する操作部３５上のスタートキーを押下する。
それによって、ステップＳ７へ進み、ＣＰＵ３０は、原稿２の読み取りを実行する。そして、原稿から読み取った画像データを、先に設定した変倍率で変倍した後、先に設定した印刷用紙サイズを示す用紙サイズ情報と共に、インタフェイス３３を介して接続されている画像形成装置へ出力させる。その画像形成装置は、画像読取装置１から画像データと共に用紙サイズ情報が入力されると、その用紙サイズ情報が示すサイズの印刷用紙を印刷に使用する印刷用紙として選択し、その印刷用紙上に上記入力された画像データに基づいて印刷を行う。つまり、その画像データを可視画像として印刷する。
【００２７】
原稿２の読み取りが実行され、印刷が実行された後、ステップＳ８へ進み、使用者は次の印刷を行うか否かの確認を行い、その印刷を行わない場合には印刷工程を終了する。
次の印刷を行う場合には、ステップＳ１０へ進み、使用者は、現在の条件（現在設定されている印刷用紙サイズと変倍率）で良いか否かの確認を行う。
そして、現状の条件で良い場合には、ステップＳ５へ戻り、使用者は、原稿２を原稿台２０に載置して、ステップＳ５以降の操作を行う。
【００２８】
一方、現状の条件ではなく、それと異なる条件で原稿２の読み取りを行わせたい場合には、ステップＳ１へ戻り、使用者は、操作部３５上の操作によって印刷用紙サイズの設定（Ｓ１）と変倍率の設定（Ｓ２）を再度ＣＰＵ３０に行わせる。それによって、継続した印刷を行わせることが可能になる。
また、ステップＳ５において、希望印刷領域が読取可能領域Ａ内に入っていない場合には、ステップＳ９へ進み、使用者は操作部３５上の操作によって印刷用紙サイズの設定変更もしくは変倍率の設定変更をＣＰＵ３０に行わせる。
【００２９】
その後、ステップＳ３へ戻り、ＣＰＵ３０が再度ステップＳ３，Ｓ４の処理を行った後、ステップＳ５へ進み、使用者は、再度原稿台２０に原稿２を載置し、希望印刷領域が読取可能領域Ａ内に入っているかの確認を行う。そして、希望印刷領域が読取可能領域Ａ内に入っていれば、つまり問題がなければ、操作部３５上のスタートキーを押下し、読取工程を続行する。
このように、画像読取装置１が、外部（操作部）から入力された印刷用紙サイズと変倍率を基にして、原稿台２０に発光部２４，２５を用いて読取可能領域Ａを表示する。
【００３０】
すなわち、外部から入力された変倍率や印刷用紙サイズを設定すると、読取可能領域を表示するために発光部２４，２５を画像読取装置内で高精度に移動させ（印刷用紙サイズと変倍率に合わせた読取可能領域の境界に移動させ）、主走査方向および副走査方向に平行な光を射出することで光の軌跡を描く（読取可能領域を表示する）。
それによって、使用者が読取可能領域を正確に認識して、そこに原稿を載置することにより、変倍時でも希望通りの画像を精度良く読み取ることができるため、印刷用紙上の使用者の希望場所と異なる位置に印刷が行われたり、画像の一部が欠損して印刷が行われるミスを防止することが可能になり、使用者の希望する大きさの印刷ができる。
【００３１】
図５は、図１に示した画像読取装置１のプラテンガラス３およびその周辺部分を上方から見た他の構成例を示す平面図であり、図２と対応する部分には同一符号を付している。
この例の基本的な構成は、図２と同様である。図２と異なる点は、モータ５０により主走査方向に移動自在な駆動部５２、モータ５３により副走査方向に移動自在な駆動部５５、駆動部５２に取り付けられて副走査方向に平行な光を射出する発光部５１、駆動部５５に取り付けられて主走査方向に平行な光を射出する発光部５４を、新たに追加した点である。
【００３２】
これにより、図２のように各々のモータ２２，２３，５０，５３を稼動させて駆動部２８，２９，５２，５５を動かし、発光部２４，２５，５１，５４を読取可能領域の境界まで移動させ、発光することで原稿位置決め部材２１に頼らずに読取可能領域Ｂを表示できる。なお、読取可能領域の基準（表示位置）を変更するために必要な各駆動部２８，２９，５２，５５の移動距離については、使用者が図３の操作部３５上の操作によって各々入力してＣＰＵ３０に設定させ、その設定された値と前述したように設定された用紙サイズおよび変倍率とを基にＣＰＵ３０が読取可能領域Ｂを算出する。そして、モータ制御部３７は、モータ２２，２３，５０，５３を駆動してＣＰＵ３０が算出した読取可能領域Ｂの境界まで発光部２４，２５，５１，５４を移動させる。
【００３３】
このように、主走査方向と副走査方向に移動可能な発光部２４，２５，５１，５４が１つずつから２つずつに変更することで、読取可能領域Ｂの基準を自由に設定できる。つまり、原稿位置決め部材２１に頼らず、プラテンガラス３（原稿載置領域）内であれば、どの位置でも読取可能領域Ｂを表示することができる。これに関するメリットを、以下にまとめる。
【００３４】
（１）原稿２の中心付近などを読み取る場合
基準を基準点６０ではなく任意の位置に設定できるため、原稿位置決め部材２１に乗り上げないように原稿２を設置することが可能となり、原稿浮きにより読取精度が低下すること、および段差により原稿２が傷むことを防げる。
（２）原稿２全体を読み取る場合
基準を基準点６０ではなく任意の位置に設定できるため、原稿位置決め部材２１とプラテンガラス３との間の隙間に挟まることがないように、原稿２を設置することが可能となり、隙間に挟まることにより原稿２が傷むことを防げる。
【００３５】
なお、モータ２２，２３，５０，５３として、例えばステッピングモータあるいはＤＣモータを用いることができる。
モータ２２，２３，５０，５３がステッピングモータの場合、モータ制御部３７はパルス数に基づいて設定位置に発光部２４，２５，５１，５４を移動させることができる。
モータ２２，２３，５０，５３がＤＣモータの場合、モータ制御部３７は回転数に基づいて設定位置に発光部２４，２５，５１，５４を移動させることができる。
【００３６】
また、画像読取装置１は、原稿を載置するプラテンガラス３の上面に対して開閉可能な図示しない圧板を備えているが、その圧板の開閉を検知するセンサ（検知手段）を備え、図３のＣＰＵ３０が、上記センサによって圧板が閉じたことを認識した場合に、各発光部の発光を停止することもできる。
さらに、各発光部としては、指向性の強いＬＥＤ等の光源を使用するとよい。
【産業上の利用可能性】
【００３７】
以上の説明から明らかなように、この発明によれば、印刷用紙等の印刷媒体の希望場所と異なる位置に印刷が行われたり、画像の一部が欠損して印刷が行われるような問題を解消することができる。したがって、使用者にとって使い勝手の良い画像読取装置を提供することができる。
【符号の説明】
【００３８】
１：画像読取装置    ２：原稿    ３：プラテンガラス    ２０：原稿台
２２，２３，５０，５３：モータ    ２４，２５，５１，５４：発光部
２８，２９，５２，５５：駆動部    ３０：ＣＰＵ    ３１：ＲＯＭ    ３２：ＲＡＭ
３３：インタフェイス（Ｉ／Ｆ）    ３４：画像データメモリ    ３５：操作部
３６：キャリッジ制御部    ３７：モータ制御部    ３８：発光制御部    ３９：撮像部
【先行技術文献】
【特許文献】
【００３９】
【特許文献１】特開２０００−３５８１３１号公報
【図１】
2011061435.tif 000003
【図２】
2011061435.tif 000004
【図３】
2011061435.tif 000005
【図４】
2011061435.tif 000006
【図５】
2011061435.tif 000007